(57)【要約】【課題】  外観が良好であり、耐久性も高く、広報機能を有した廃棄物集積庫を提供する。【解決手段】  木粉を樹脂で固めた熱可塑性木質複合木材を用いて通気性を有した構造に組み立てられ、扉３４の外側から視認される掲示用パネル４８が設けられている。周囲を囲む側面１２，１４，１６と、各側面の上端に設けられた屋根部１９とから成り、側面１８に設けられた出入り口２４と、出入り口２４を閉鎖する扉３４を備える。掲示部３８は扉３４の一部に設けられ、掲示部３８の板部材３７は、扉３４の一部を切り欠いて形成された掲示部用の透孔４０と、透孔４０の内周面の室外側に取り付けられた透明な保護板４２と、透孔４０の内周面の室内側に取り付けられ、保護板４２と対面し室外側面に掲示物を貼る掲示用パネル４８とを備える。内部は、光触媒による抗菌消臭処理が施され、赤外線センサにより人を検知して作動し、太陽電池で点灯する照明を備える。【選択図】      図１
2005047666.tif 000002
【特許請求の範囲】
【請求項１】
木粉を樹脂で固めた熱可塑性木質複合木材を用いて通気性を有した構造に組み立てられ、扉の外側から視認される掲示部が設けられていることを特徴とする廃棄物集積庫。
【請求項２】
上記廃棄物集積庫は、周囲を囲む側面と、この側面の上端に設けられた屋根部と、上記側面の一部に設けられた出入り口と、上記出入り口を閉鎖する扉が設けられ、上記掲示部は上記扉の一部に設けられ、上記掲示部は、上記扉の一部を切り欠いて形成された掲示部用の透孔と、上記透孔の内周面の室外側に取り付けられた透明な保護板と、上記透孔の内周面の室内側に取り付けられ上記保護板と対面し室外側面に掲示物を貼る掲示用パネルと、上記掲示用パネルを保持し上記保護板に対して離れる方向に移動可能な連結具が設けられていることを特徴とする請求項１記載の廃棄物集積庫。
【請求項３】
上記廃棄物集積庫の内壁面は、光触媒による抗菌消臭処理が施されていることを特徴とする請求項１記載の廃棄物集積庫。
【請求項４】
上記廃棄物集積庫には、赤外線センサにより人を検知して作動し、太陽電池で点灯する照明が設けられていることを特徴とする請求項１記載の廃棄物集積庫。
【請求項５】
上記廃棄物集積庫には、ボイスレコーダと、このボイスレコーダにより録音した音声を発するスピーカが設けられていることを特徴とする請求項１記載の廃棄物集積庫。
【発明の詳細な説明】
【技術分野】
【０００１】
この発明は、家庭のゴミ等を集積し、収集車により回収されるまでの保管を行う廃棄物集積庫に関する。
【背景技術】
【０００２】
従来、廃棄物を一時的に置き、ごみ収集車がその廃棄物を運ぶ廃棄物集積所は、金網タイプや囲いを設けただけのごみステーションがある。しかし、降雨、降雪、暴風、鳥獣の害には対応しにくいものであった。そこで、全天候型で鳥獣等が進入を防ぎ、資源ごみを分別しておくスペースを有する小屋形の廃棄物集積庫がある。
【特許文献１】特開２００１−２１４５２０
【特許文献２】特開２００３−１２８２０１
【発明の開示】
【発明が解決しようとする課題】
【０００３】
しかし、小屋形の廃棄物集積庫は、廃棄物を集積するスペースを有したものであり、その他の掲示板等の広報機能は別途設けられた掲示板により成されていた。その他にも、廃棄物集積庫を快適に使用するための抗菌・消臭機能を付与するものはなく、庫内をきれいに保つことが難しいものであった。また廃棄物集積庫の外観は、機能のみに偏り、街並みに馴染みやすい天然素材を使用し、なおかつ耐久性に優れたものは無かった。
【０００４】
この発明は、上記課題に鑑みてなされたものであり、外観が良好であり、耐久性も高く、広報機能を有した廃棄物集積庫を提供することを目的とする。
【課題を解決するための手段】
【０００５】
この発明は、木粉を樹脂で固めた熱可塑性木質複合木材を用いて、通気性を有した構造に組み立てられ、扉の外側から視認される掲示部が設けられている廃棄物集積庫である。
【０００６】
上記廃棄物集積庫は、周囲を囲む側面と、この側面の上端に設けられた屋根部と、上記側面の一部に設けられた出入り口と、上記出入り口を閉鎖する扉が設けられ、上記掲示部は上記扉の一部に設けられ、上記掲示部は、上記扉の一部を切り欠いて形成された掲示部用の透孔と、上記透孔の内周面の室外側に取り付けられた透明な保護板と、上記透孔の内周面の室内側に取り付けられ上記保護板と対面し室外側面に掲示物を貼る掲示用パネルと、上記掲示用パネルを保持し上記上記保護板に対して離れる方向に移動可能な連結具が設けられているものである。
【０００７】
上記廃棄物集積庫の内壁面は、光触媒による抗菌消臭処理が施されている。上記廃棄物集積庫には、赤外線センサにより人を検知して作動し、太陽電池で点灯する照明が設けられているものである。また、上記廃棄物集積庫には、ボイスレコーダと、このボイスレコーダにより録音した音声を発するスピーカが設けられている。
【発明の効果】
【０００８】
本発明の廃棄物集積庫によれば、掲示板に掲示された情報や、ボイスレコーダに記録された情報を廃棄物集積庫を利用する人に容易かつ確実に伝達することができ、それらの情報の周知が促進される。また、掲示板を集積庫とは別個に設置する必要がなく、用地の有効利用となる。また、天然素材に近い材料で作られ、景観環境において美観が保たれ、周囲との調和が図りやすい。
【発明を実施するための最良の形態】
【０００９】
以下、この発明の実施形態について図面に基づいて説明する。図１〜図５は、この発明の一実施形態の廃棄物集積庫１０を示したものであり、この実施形態の廃棄物集積庫１０は、熱可塑性木質複合木材で作られている。熱可塑性木質複合木材は、建築廃材等の木材と熱可塑性の廃プラスチックスやその他の熱可塑性樹脂を混合して金型で射出成形してリサイクルしたものである。
【００１０】
この熱可塑性木質複合木材は、吸水性が少なく、長時間水につけても腐らず、また防腐・防蟻処理も不要である。外観は木の風合いは残り、周囲の景観に溶けこむ。一方、樹木や鉄の数倍の耐久性を有している。特に木材の数倍の表面強度と耐磨耗性を有している。紫外線や対光性も強い。高温（１２０°）から低温度（−３０°）の範囲での気温の変化に対応することができる。アルミニウムなみの寸法安定性と剛性を有している。
【００１１】
廃棄物集積庫１０は、コンクリートやアスファルトで整地した地面、橋脚、平板に設置された図示しない基部枠から複数本の支柱１７がほぼ垂直に立設されている。支柱１７には後側面１２と右側面１４、左側面１６、前側面１８が組み立てられ、各側面の上方にほぼ水平な屋根部１９が設けられている。後側面１２、右側面１４、左側面１６は、熱可塑性木質複合木材で、ほぼ同じ大きさに成形された板部材２０が、長手方向をほぼ水平に位置し、上下方向に並べられて組み立てられている。そして互いに平行に隣設する板部材２０の間には、通気用の間隙２２が設けられている。
【００１２】
前側面１８は、中央部に出入り口２４が設けられている。前側面１８の、出入り口２４の左右に位置する部分は、熱可塑性木質複合木材で作られた中空の板部材３６により形成されている。板部材３６の中央よりやや上部寄りには、矩形の通気窓２６が設けられている。通気窓２６には、斜めの格子２８が取り付けられている。
【００１３】
前側面１８の室内側の下端部と上端部には、出入り口２４を横切る下レール３０と上レール３２が設けられている。下レール３０と上レール３２には、出入り口２４を開閉する一対の扉３４が摺動可能に取り付けられている。扉３４は、出入り口２４の中心で並べられて出入り口２４を閉鎖する。各扉３４は熱可塑性木質複合木材で作られた中空の板部材３７で設けられている。
【００１４】
板部材３７の中央よりやや上部寄りに、矩形の掲示部３８が設けられている。掲示部３８は、図２に示すように、板部材３７に掲示部３８用の透孔４０を設け、透孔４０の内周面３７ａには、室外側に透明な保護板４２が取り付けられ透孔４０を閉鎖している。保護板４２は、例えば透明なポリカーボネートで作られ、厚みは３ｍｍである。保護板４２の周縁部には、断面形状がＬ字形である枠部材４４が保護板４２の表裏に一対が当接して嵌められている。一対の枠部材４４の一側面４４ａは保護板４２の表裏面に当接し、直角に位置する他側面４４ｂは保護板４２に対して直角で互いに同じ方向に位置し互いに積層されている。枠部材４４の、互いに積層された側面４４ｂは、扉３４の板部材３７の内周面３７ａにネジ４６で固定されている。
【００１５】
掲示部３８の、透孔４０の内周面３７ａには、室内側に、掲示物３９を貼る掲示用パネル４８が設けられている。掲示用パネル４８は、例えばコルクタイルであり、厚みは１０ｍｍである。掲示用パネル４８の室外側面は掲示物３９を貼り、室内側面には、覆い板５０が積層して取り付けられている。掲示用パネル４８の周縁部は、断面形状がコの字形の枠部材５２が、掲示用パネル４８と覆い板５０を重ねた状態で嵌められている。枠部材５２の、互いに平行な側面５２ａと５２ｂは、掲示用パネル４８と覆い板５０に当接し、枠部材５２の底部５２ｃは丁番５４の一側面にネジ５６で固定されている。丁番５４の他の側面は、扉３４の板部材３７の内周面３７ａにネジ５８で固定されている。
【００１６】
一対の扉３４の互いに隣接する側縁部付近の、中間の高さ付近には、扉３４を開閉する時に保持する持ち手６０が設けられている。また扉３４と、前側面１８の間には、かぎ６２が設けられている。後側面１２と右側面１４、左側面１６、前側面１８の上方に取り付けられる屋根部１９は、例えば金属製の折板等により覆われている。屋根部１９の周囲には、各側面に平行な飾り板６６が取り付けられて覆っている。
【００１７】
廃棄物集積庫１０の後側面１２の室内側上方には、ソーラーライト６８が取り付けられている。ソーラーライト６８は図示しない太陽電池で発電してバッテリーを充電し、夜間等には、赤外線センサ６９により人を感知して点灯する。
【００１８】
廃棄物集積庫１０の後側面１２の室内側上方には、水平にレール部材７０が設けられている。レール部材７０に設けられたスライダには、資源ごみの種類を記したカード７２が吊下げられている。カード７２は、曜日や資源ごみの多さに合わせてレール部材７０に沿って移動させる。
【００１９】
また、廃棄物集積庫１０の室内側面には、光触媒による抗菌コートが施されている。抗菌コートは、銀と酸化チタンの粉である。酸化チタンは、太陽光や蛍光灯の紫外線さえあればそれに反応して、一般細菌類・悪臭・カビ又は有害な化学物質などを分解して、生活環境を無害安全に改善する。また、銀は光等が無くても殺菌効果、消臭効果を有するものである。
【００２０】
廃棄物集積庫１０の扉３４の内側等には、図示しないボイスレコーダが設けられている。ボイスレコーダは、ＩＣレコーダを内蔵した音声記録装置であり、図示しないスイッチやセンサにより人または扉の動きを感知して、ボイスレコーダに記録した音声が自動的に図示しないスピーカから流れるように設定されている。記録する情報は、例えばその廃棄物集積庫１０が設置された地区に関する情報を町内の責任者が入力し、地区住民が容易に聞き取ることができるようにするものである。
【００２１】
次に廃棄物集積庫１０の使用方法について説明する。利用者が廃棄物７４や資源ごみ７６を廃棄物集積庫１０に出すとき、扉３４を開け、廃棄物や資源ごみの種類を記したカード７２の下におく。扉３４を開けるたびに扉３４の掲示部３８に貼ってある掲示物３９を見て情報を得る。また、ボイスレコーダにより町内や地区内に関する情報を容易に得る。カード７２はレール部材７０に沿って、収集する曜日にあわせて、また集積される複数の廃棄物や資源ごみの量の比率、資源ごみを区分して入れる容器７８の大きさ等に合わせて適した場所にあらかじめスライドさせることができ、スペースを有効利用することができる。そして、掲示物３９を交換するときは、掲示用パネル４８を丁番５４を中心に回転させて扉３４から開き、掲示用パネル４８表面の掲示物３９を取り替える。再び、掲示用パネル４８を扉３４に閉じる。
【００２２】
この実施形態の廃棄物集積庫１０は、廃棄物集積庫を利用する人が掲示部３８に掲示された掲示物３９を見たり、またボイスレコーダによる音声を聞いて、伝達事項が確実に伝達され周知が促進される。単独の掲示板で公報するよりも効率よく伝達することができる。また、公報掲示板を別に設置する必要がなく、用地の有効利用になる。そして掲示部３８は簡単に掲示物３９の交換ができる。掲示物３９は廃棄物集積庫１０の内側から取り外しするため、関係者以外の人が無断で貼り付けや取り外しを行うことを防ぎ、掲示物３９を雨、風、雪砂等からも保護することができる。また、掲示部３８には廃棄物集積庫１０の利用者資格を明記することができ、地域外のごみの持ち込みを防ぐ。
【００２３】
廃棄物集積庫１０扉３４は開閉時にスペースを取らず、外側に積雪があっても支障無く開閉することができる。また、扉３４は室内側の下レール３０と上レール３２に沿って移動するスライド式であり、雪や粉塵が溜まりにくい。出入り口２４は、扉３４を全開すると大きくなり、利用者や回収者双方の作業や出入りがしやすい。扉３４は施錠できるため、収集日以外は利用できないようにする。
【００２４】
廃棄物集積庫１０は、リサイクル材である熱可塑性木質複合木材で作られ、環境に対する配慮をし、リサイクル志向意識を誘導し循環型社会づくりに役立つ。熱可塑性木質複合木材は木の風合があり街並みに調和し、景観環境において美観が保たれ、周囲との調和も図りやすい。また、熱可塑性木質複合木材は強度が高く、耐久性に優れている。廃棄物集積庫１０は、廃棄物が外から見えない構造であり、このことからも外観の印象が良好である。また、組み立てが簡単で、現地で短時間で組み立てることができる。
【００２５】
廃棄物集積庫１０の内側は光触媒等により抗菌処理が施されているため、抗菌・消臭効果があり、衛生的である。廃棄物集積庫１０の各側面には、板部材２０の間に通気用の間隙２２が設けられているため、通気性があり、においや湿気がこもらず、環境が良好となる。廃棄物集積庫１０の床は無く、コンクリートやアスファルトに廃棄物を直接置くため、水洗い掃除が可能であり、衛生的である。
【００２６】
また、廃棄物集積庫１０を大型にすることにより、小規模の廃棄物集積箇所の合理的統廃合や廃棄物収集車の巡回経路の合理化を図ることもできる。また、ソーラーライト６８が夜間でも自動に点灯し、明るく安全であり、太陽電池を利用しているため光熱費が安価となる。
【００２７】
なお、この実施形態の廃棄物集積庫は、上記実施の形態に限定されるものではなく、必要に応じて適宜変更可能であり、例えば底面に運搬台車を取り付け、移動可能としてもよい。廃棄物集積庫の内側を立体に設計し、より多くのものを集積してもよい。分別用具、掃除道具などを収容する棚等を取り付けてもよい。扉を吊下げ戸にすると、弱い力で開閉することができる。また装備として、消化器やその他の設備を設けても良く、安全性や環境対策用の装備を使いしても良い。
【図面の簡単な説明】
【００２８】
【図１】この発明の一実施形態の廃棄物集積庫の斜視図である・
【図２】この実施形態の廃棄物集積庫の扉を拡大した部分横断面図である。
【図３】この実施形態の廃棄物集積庫の正面図である。
【図４】この実施形態の廃棄物集積庫の横断面図である。
【図５】この実施形態の廃棄物集積庫の右側面図である。
【符号の説明】
【００２９】
１０  廃棄物集積庫
１２  後側面
１４  右側面
１６  左側面
１７  支柱
１８  前側面
１９  屋根部
２０  板部材
２２  間隙
２４  出入り口
２６  通気窓
２８  格子
３０  下レール
３２  上レール
３４  扉
３６，３７  板部材
３８  掲示部
４０  透孔
４２  保護板
４４  枠部材
４８  掲示用パネル
５０  覆い板
５２  枠部材
５４  丁番
６０  持ち手
６８  ソーラーライト
【図１】
2005047666.tif 000003
【図２】
2005047666.tif 000004
【図３】
2005047666.tif 000005
【図４】
2005047666.tif 000006
【図５】
2005047666.tif 000007